(57)【要約】      （修正有）【課題】樹木に隣接した地面に立てられて樹木を支持する多数の支持棒を簡便でかつ堅固に互いに連結し、真っ直ぐで丈夫な樹木に成長できるように構成された樹木支持装置用連結具を提供する。【解決手段】支持棒が結合される結合ハウジング１１２が一定角度だけ傾くように配置され、弾力的に曲がるか復元される弾性連結部１１３によって一体的に連結されるように形成され、前記結合ハウジングの底面には、前記支持棒の上端部が挿入される下端開口型の支柱結合孔１１５が斜めに形成され、密着ブラケット１１１の内側面には、樹木との接触面積を減らすための接触突条１１６が突設され、連結締め付け部材１２０は、帯状のバンド部１２１に長手方向に沿って多数の係止溝１２２が一定間隔で形成され、前記バンド部の一端部には結合片１２３が一体的に連結されるように形成され、ガイド孔１２４の内側面には、前記バンド部に形成された多数の係止溝に選択的にかかれて固定される係止固定突起１２５が突設されている。【選択図】図１ａ
0003157675.tif 000002
【実用新案登録請求の範囲】
【請求項１】
樹木（１）に隣接した地面に立てられて前記樹木（１）を支持する支持木（２）を互いに連結して樹木（１）に支持固定するもので、前記支持木（２）の上端部が結合される多数の支持部材（１１０）と、前記支持木（２）を互いに連結して樹木（１）に支持する帯状の連結締め付け部材（１２０）とからなる樹木支持装置用連結具（１００）において、
前記支持部材（１１０）は、前記樹木（１）を部分的にくるむ密着ブラケット（１１１）に対し、前記支持木（２）が結合される結合ハウジング（１１２）が一定角度だけ傾くように配置され、弾力的に曲がるか復元される弾性連結部（１１３）によって一体的に連結されるように形成され、
前記密着ブラケット（１１１）の内部には、前記連結締め付け部材（１２０）が挿入される連結孔（１１４）が横方向に貫設され、
前記結合ハウジング（１１２）の底面には、前記支持木（２）の上端部が挿入される下端開口型の支柱結合孔（１１５）が斜めに形成され、
前記密着ブラケット（１１１）の内側面には、樹木（１）との接触面積を減らすための接触突条（１１６）が突設され、
前記連結締め付け部材（１２０）は、帯状のバンド部（１２１）に長手方向に沿って多数の係止溝（１２２）が一定間隔で形成され、
前記バンド部（１２１）の一端部には結合片（１２３）が一体的に連結されるように形成され、
前記結合片（１２３）の内部には、前記バンド部（１２１）の他端部が挿入通過するガイド孔（１２４）が貫設され、
前記ガイド孔（１２４）の内側面には、前記バンド部（１２１）に形成された多数の係止溝（１２２）に選択的にかかれて固定される係止固定突起（１２５）が突設されたことを特徴とする、樹木支持装置用連結具。
【請求項２】
前記支持木（２）が挿入されて一体的に結合される支持部材（１１０）の結合ハウジング（１１２）の上端部には、前記支柱結合孔（１１５）に挿入された支持木（２）の上端部が部分的に露出するようにする露出孔（１１７）が支柱結合孔（１１５）と連通するように形成されたことを特徴とする、請求項１に記載の樹木支持装置用連結具。
【請求項３】
支持部材（１１０）の結合ハウジング（１１２）の外側面には、前記支柱結合孔（１１５）に挿入された支持木（２）を固定するくぎ（３）が通過するくぎ孔（１１８）が形成されたことを特徴とする、請求項１に記載の樹木支持装置用連結具。
【請求項４】
前記連結締め付け部材（１２０）のバンド部（１２１）の他端部には、前記結合片（１２３）のガイド孔（１２４）になだらかに挿入される進入傾斜部（１２６）が形成され、前記進入傾斜部（１２６）には、工具が挿入される工具挿入孔（１２７）が貫設されたことを特徴とする、請求項１に記載の樹木支持装置用連結具。
【請求項５】
前記密着ブラケット（１１１）の内部には、前記連結締め付け部材（１２０）が挿入される連結孔（１１４）が横方向に貫設されたことを特徴とする、請求項１に記載の樹木支持装置用連結具。
【請求項６】
前記密着ブラケット（１１１）の内側面には、樹木（１）との接触面積を減らすための接触突条（１１６）が突設されたことを特徴とする、請求項１に記載の樹木支持装置用連結具。
【考案の詳細な説明】
【技術分野】
【０００１】
本考案は樹木支持装置用連結具に係り、より詳しくは果物木、庭木、竝木などの樹木を支持して保護するために、前記樹木の辺りに立てられる多数の支持棒をより簡便に互いに連結して樹木を支持するように構成された樹木支持装置用連結具に関する。
【背景技術】
【０００２】
一般に、果樹園の果物木、庭木、竝木などの樹木が真っ直ぐ丈夫に成長できるようにすることはもちろんのこと、雨風などによって樹木が倒れて抜かれることを防止するために、たいてい樹木の周辺に支持棒を設置して樹木を保護することになる。
【０００３】
このような支持棒は主に木材でなり、たいてい下端部が樹木の周辺地面に部分的に埋め込まれた状態で立てられ、上端部は樹木に支持された状態でワイヤまたは輪ゴムなどによって互いに括られて連結固定される。
【０００４】
しかし、このような従来の支持棒は、その設置作業、つまり上端部を樹木に支持して互いに連結する作業が煩わしくて不便であるのはもちろんのこと、見掛けも良くないだけでなく、支持棒の上端部、及び前記上端部を連結して樹木に支持したワイヤまたは輪ゴムなどによって樹木が凹み、これに異物が染みこんで、樹木が死ぬか腐ることになるなどの問題点があった。
【考案の概要】
【考案が解決しようとする課題】
【０００５】
したがって、本考案は前記したような問題点に解決するためになされたもので、その目的は、樹木に隣接した地面に立てられて樹木を支持する多数の支持棒を簡便でかつ堅固に互いに連結するとともに、支持棒が設置された樹木を安全に保護して、真っ直ぐで丈夫な樹木に成長できるように構成された樹木支持装置用連結具を提供することである。
【課題を解決するための手段】
【０００６】
このような目的を達成するために、本考案の一面によれば、樹木に隣接した地面に立てられ、前記樹木を支持する支持棒を互いに連結して樹木に支持固定するもので、前記支持棒の上端部が結合される多数の支持部材と、前記支持棒を互いに連結して樹木に支持する帯状の連結締め付け部材とからなる樹木支持装置用連結具であって、前記支持部材は、前記樹木を部分的にくるむ密着ブラケットに対し、前記支持棒が結合される結合ハウジングが一定角度だけ傾くように配置され、弾力的に曲がるか復元される弾性連結部によって一体的に連結されるように形成され、前記密着ブラケットの内部には、前記連結締め付け部材が挿入される連結孔が横方向に貫設され、前記結合ハウジングの底面には、前記支持棒の上端部が挿入される下端開口型の支柱結合孔が斜めに形成され、前記密着ブラケットの内側面には、樹木との接触面積を減らすための接触突条が突設され、前記連結締め付け部材は帯状のバンド部に長手方向に沿って多数の係止溝が一定間隔で形成され、前記バンド部の一端部には結合片が一体的に連結されるように形成され、前記結合片の内部には前記バンド部の他端部が挿入通過するガイド孔が貫設され、前記ガイド孔の内側面には、前記バンド部に形成された多数の係止溝に選択的にかかれて固定される係止固定突起が突設されたことを特徴とする樹木支持装置用連結具が提供される。
【考案の効果】
【０００７】
以上のように、本考案による樹木支持装置用連結具は、樹木に対して支持棒が一定角度だけ傾くように、設置構造と同様に支持部材の密着ブラケットと結合ハウジングが互いに一定角度だけ傾いて交差するように形成されているので、支持木間の結合、及び支持棒を樹木に支持する作業がより簡便で堅固になされるようにする効果がある。
【０００８】
また、本考案による樹木支持装置用連結具は、支持部材の密着ブラケットと結合ハウジングが弾力的に曲がるか復元される弾性連結部によって一体的に繋がれるように形成されているので、樹木に対して斜めに設置される支持棒の設置角度にかかわらず、前記支持棒を互いになだらかに連結して樹木に支持固定できるようにする効果がある。
【０００９】
また、本考案による樹木支持装置用連結具は、支持部材の密着ブラケットの内側面に接触突条が突設して樹木との接触面積を減らしたので、樹木の円滑な成長をはかるようにする効果がある。
【図面の簡単な説明】
【００１０】
【図１ａ】本考案の実施例による樹木支持装置用連結具を示す分解斜視図である。
【図１ｂ】本考案の実施例による樹木支持装置用連結具を示す組立斜視図である。
【図２】本考案による樹木支持装置用連結具の要部である支持部材を示す断面図である。
【図３】本考案による樹木支持装置用連結具の設置状態を示す斜視図である。
【考案を実施するための形態】
【００１１】
以下、本考案による樹木支持装置用連結具を添付図面に基づいて詳細に説明する。
【００１２】
図１ａ及び図１ｂは本考案の実施例による樹木支持装置用連結具を示す分解斜視図及び組立斜視図、図２は本考案による樹木支持装置用連結具の要部である支持部材を示す断面図、図３は本考案による樹木支持装置用連結具の設置状態を示す斜視図である。
【００１３】
図示のような本考案による樹木支持装置用連結具１００は、樹木１に隣接した地面に立てられ、前記樹木１を支持する支持木２を互いに連結して樹木１に支持固定するもので、前記支持木２の上端部が結合される多数の支持部材１１０と、前記支持木２を互いに連結して樹木１に支持する帯状の連結締め付け部材１２０とからなる。
【００１４】
前記支持部材１１０は、前記樹木１の周囲を部分的にくるむ密着ブラケット１１１に対し、前記支持木２が結合される結合ハウジング１１２が一定角度だけ傾くように配置され、弾力的に曲がるか復元される弾性連結部１１３によって一体的に連結されるように形成され、前記密着ブラケット１１１の内部には、前記連結締め付け部材１２０が挿入される連結孔１１４が横方向に貫設され、前記結合ハウジング１１２の底面には、前記支持木２の上端部が挿入される下端開口型の支柱結合孔１１５が斜めに形成され、前記密着ブラケット１１１の内側面には、樹木１との接触面積を減らすための接触突条１１６が突設されている。
【００１５】
前記接触突条１１６は密着ブラケット１１１に対して垂直方向に連結されるように突設されることが好ましく、場合によっては、前記密着ブラケット１１１に対して水平または斜線方向に連結されるように突設されることができる。
【００１６】
前記支持部材１１０の支柱結合孔１１５は樹木１を支持する支持木２の断面と同一の断面円形または多角形などに形成される。
【００１７】
前記支持木２が挿入されて一体的に結合される支持部材１１０の結合ハウジング１１２の上端部には、場合によって前記支柱結合孔１１５に挿入された支持木２の上端部が部分的に露出するようにする露出孔１１７が支柱結合孔１１５と連通するように形成されることにより、支持木２の上端部を支柱結合孔１１５に合わせて斜めに切断しなくても使用することができるように構成できる。
【００１８】
前記支持部材１１０の結合ハウジング１１２の外側面には、場合によって前記支柱結合孔１１５に挿入された支持木２を固定するくぎ３が通過するくぎ孔１１８が形成されることができる。
【００１９】
前記連結締め付け部材１２０は、一定厚さを持つ帯状のバンド部１２１に長手方向に沿って多数の係止溝１２２が一定間隔で形成され、前記バンド部１２１の一端部には、相対的にバンド部１２１より厚さ及び広さが大きな結合片１２３が一体的に連結されるように形成され、前記結合片１２３の内部には、前記バンド部１２１の他端部が挿通するガイド孔１２４が貫設され、前記ガイド孔１２４の内側面には、前記バンド部１２１に多数形成された係止溝１２２に選択的に係止されて固定される係止固定突起１２５が突設される。
【００２０】
前記連結締め付け部材１２０のバンド部１２１の他端部には、場合によって前記結合片１２３のガイド孔１２４に容易に挿入される進入傾斜部１２６が形成される。前記進入傾斜部１２６には、工具または指を入れてバンド部１２１を引っぱることができるようにする工具挿入孔１２７が貫設されることができる。
【００２１】
前記支持部材１１０の密着ブラケット１１１、結合ハウジング１１２及び弾性連結部１１３は弾力性を持つゴムのような合成樹脂で成形されることが好ましく、射出成形作業による一工程によって、前記密着ブラケット１１１、弾性連結部１１３及び結合ハウジング１１２が一体的に連結されるように形成される。
【００２２】
このように構成された本考案による樹木支持装置用連結具１００を利用して樹木１の周辺に斜めに立てられた多数の支持木２を互いに連結する場合には、まずそれぞれの支持木２の上端をそれぞれ支持部材１１０の支柱結合孔１１５に挿入して結合し、ついで前記支持木２にそれぞれ結合された支持部材１１０の連結孔１１４に連結締め付け部材１２０の進入傾斜部１２６を通過させることで、前記連結締め付け部材１２０がそれぞれの支持部材１１０を連結するとともに樹木１の周囲をくるむようにし、ついで前記連結締め付け部材１２０の他端部に形成された進入傾斜部１２６を前記連結締め付け部材１２０の一端部に形成された結合片１２３のガイド孔１２４に差し込む。
【００２３】
その後、前記連結締め付け部材１２０のガイド孔１２４を通過した進入傾斜部１２６の部位を引っぱることにより、前記連結締め付け部材１２０のガイド孔１２４の内部に形成された係止固定突起１２５がバンド部１２１の係止溝１２２に選択的にかかって固定されるようにすることで、前記多数の支持木２を連結して樹木１に支持木２を固定させる作業が速かに完了する。
【００２４】
この際、前記連結締め付け部材１２０を引っぱって支持部材１１０を連結するとともに樹木１に支持する過程で、前記支持部材１１０の弾性連結部１１３が地面に立てられた支持木２の設置角度によって能動的に曲がるか復元されることによりその状態を維持するので、前記支持木２の連結及び樹木１との支持作業がより簡単で堅固に効率よくなされることができる。
【００２５】
その後、前記支持部材１１０のくぎ孔１１８にくぎ３を挿入した後、ハンマでくぎ３を打撃して支持木２に打ち込めば、前記支持部材１１０に結合された支持木２の結合状態をより堅固に維持することができる。
【産業上の利用可能性】
【００２６】
本考案は、果物木、庭木、竝木などの樹木を支持して保護する樹木支持装置に適用可能である。
【符号の説明】
【００２７】
１    樹木
２    支持木
３    くぎ
１００    樹木支持装置用連結具
１１０    支持部材
１１１    密着ブラケット
１１２    結合ハウジング
１１３    弾性連結部
１１４    連結孔
１１５    支柱結合孔
１１６    接触突条
１１７    露出孔
１１８    くぎ孔
１２０    連結締め付け部材
１２１    バンド部
１２２    係止溝
１２３    結合片
１２４    ガイド孔
１２５    係止固定突起
１２６    進入傾斜部
１２７    工具挿入孔
【図１ａ】
0003157675.tif 000003
【図１ｂ】
0003157675.tif 000004
【図２】
0003157675.tif 000005
【図３】
0003157675.tif 000006